(57)【要約】      （修正有）【課題】従来の綴り金具は構成が複雑で、場合よっては偶然外れてしまうと言う危惧があり、また取り外し難いという問題がある。【解決手段】綴り桿１４を取り付けた綴り桿取り付け板１５を着脱自在に保持する押さえ板１６ａと綴り桿１４を挿入するパイプ１７を取り付けた押さえ板１６ｂとをヒンジ手段１８ａ，１８ｂを介して取り付け板１１の両側縁に回動自在に取り付けた綴り金具１において、長方形の取り付け板１１に鳩目２の軸部２１を挿入する取り付け孔１２とこの孔１２と一端が連接開口し鳩目２のフランジ半径長より十分に長い長孔１３を取り付け孔１２の周囲に複数個設けることで解消できる。【選択図】図１
0003108868.tif 000002
【実用新案登録請求の範囲】
【請求項１】
綴り桿１４を取り付けた綴り桿取り付け板１５を着脱自在に保持する押さえ板１６ａと前記綴り桿１４を挿入するパイプ１７を取り付けた押さえ板１６ｂとをヒンジ手段１８ａ，１８ｂを介して取り付け板１１の両側縁に回動自在に取り付けた綴り金具１において、前記長方形の取り付け板１１に、鳩目２の軸部２１を挿入する取り付け孔１２とこの孔１２と一端が連接開口し前記鳩目２のフランジ半径長より十分に長い長孔１３を前記取り付け孔１２の周囲に複数個設けたことを特徴とするファイル用綴り金具。
【請求項２】
請求項１記載の長孔１３が鳩目２の軸部２１を挿入する取り付け孔１２と一端が連接して開口し前記鋲や鳩目２のフランジ部２３の半径長より十分に長い長孔１３ａ〜１３ｃを前記長孔１３の延長中心線が前記取り付け孔１２の中心を通るように前記取り付け孔１２の周囲にＹ字状に複数個穿設した構成であることを特徴とするファイル用綴り金具。
【請求項３】
請求項１記載の長孔１３が鳩目２の軸部２１を挿入する取り付け孔１２と一端が連接して開口し前記鋲や鳩目２のフランジ部２３の半径長より十分に長い長孔１３ａ〜１３ｃを前記長孔１３の延長中心線が前記取り付け孔１２の中心を通るように前記取り付け孔１２の周囲に十字状に複数個穿設した構成であることを特徴とするファイル用綴り金具。
【考案の詳細な説明】
【技術分野】
【０００１】
この考案は、書類などを綴じ込むファイルの背表紙裏に取り付けて使用するファイル用綴り金具に関し、特にファイルと綴り金具とを分別して廃棄処分する際、綴り金具をファイルから容易に取り外し得るようにしたファイル用綴り金具に関するものである。
【背景技術】
【０００２】
図１１は、従来からある一般的なワンタッチで開閉可能な両開き型のファイル用綴り（パイプ）金具であり、このファイル用綴り金具４０は、２孔用として２本の綴り桿４１を取り付けた綴り桿取り付け板４２を着脱可能なように取り付ける押さえ板４３ａと、前記綴り桿４１を挿入する２本のパイプ４４を取り付けた押さえ板４３ｂとをヒンジ手段４５ａ，４５bを介して例えば長方形のステンレス製取り付け板４６の両側縁に垂直状態からそれぞれ外側に９０°回動自在に取り付けた構成で、この綴り金具４０は、例えば厚紙製のファイル（表紙）５０の背表紙５１の裏面に前記取り付け板取り付け板４６の四隅にこれをファイルに取り付けるための鋲または鳩目６０の軸部を挿入し得る取り付け孔４７を前記背表紙５１の取り付け板取り付け位置に開け、前記した鋲または鳩目６０を用いて取り付けた構成である。
【０００３】
近年、資源の有効活用や環境問題解消のために図11で示すファイルと綴り金具とを使用時には支障なく、廃棄時には容易に分離し易くしたファイル用綴り金具が提案されている。
特許文献１には、使用者が必要に応じてファイルを台紙と綴金具とに分離することができる取り外し可能な綴金具付ファイルとして、台紙とこの台紙の背表紙上に底板を取り付ける綴り金具とからなるファイルにおいて、前記底板には、各隅角部に設けられて結合ピンの係止および開放の２位置を規制する案内溝を備えた規制手段を設けると共に、前記背表紙には、前記規制手段に対応する部位に適合する有頭結合ピンおよび規制開口部を設けた構成が開示されている。
【０００４】
また、特許文献２には、分別廃棄を行う際に、厚紙製のファイルから金属製のファイル用金具を容易に取り外すことができるようにするために、ファイル用金具を形成する長方形の金属基板に鳩目部材の軸部が挿入でき、鳩目部材の押しつぶし部が引っ掛かって抜け取れないような切欠凸片を有する切欠孔を穿設したファイル用金具が開示されている。
【０００５】
【特許文献１】特開平９-１４２０７５号公報
【特許文献２】実用新案登録第３０７５２２７号明細書
【考案の開示】
【考案が解決しようとする課題】
【０００６】
特許文献１で開示されている綴金具付ファイルは、結合ピンの係止および開放の２位置を規制する案内溝を備えた規制手段を設けると共に、前記背表紙には、前記規制手段に対応する部位に適合する有頭結合ピンおよび規制開口部を設ける等構成が複雑で、場合よっては偶然外れてしまうと言う危惧がある。
【０００７】
また、特許文献２で開示されているファイル用金具は、鳩目部材の軸部が挿入でき、鳩目部材の押しつぶし部が引っ掛かって抜け取れないような切欠凸片を有する切欠孔を穿設すると言う複雑さがあり、また取り外し難いという問題がある。
【０００８】
この考案は、このように鳩目軸部の押しつぶしによる捲くれ部分を、例えばやすりで削り取るようなことをしなくても、ファイル用金具を厚紙製のファイルから比較的簡単に取り外すことができるようにしたファイル用金具を提供することを目的としたものである。
【課題を解決するための手段】
【０００９】
前記課題を解決するためにはこの考案のように、綴り桿１４を取り付けた綴り桿取り付け板１５を着脱自在に保持する押さえ板１６ａと前記綴り桿１４を挿入するパイプ１７を取り付けた押さえ板１６ｂとをヒンジ手段１８ａ，１８ｂを介して取り付け板１１の両側縁に回動自在に取り付けた綴り金具１において、前記長方形の取り付け板１１に、鳩目２の軸部２１を挿入する取り付け孔１２とこの孔１２と一端が連接開口し前記鳩目２のフランジ半径長より十分に長い長孔１３を前記取り付け孔１２の周囲に複数個設けることである。
【考案の効果】
【００１０】
請求項１記載の考案は、綴り桿１４を取り付けた綴り桿取り付け板１５を着脱自在に保持する押さえ板１６ａと前記綴り桿１４を挿入するパイプ１７を取り付けた押さえ板１６ｂとをヒンジを１８ａ，１８ｂ介して取り付け板１１の両側縁に回動自在に取り付けた綴り金具１において、前記長方形の取り付け板１１に、鳩目２の軸部２１を挿入する取り付け孔１２とこの孔と一端が連接し前記鳩目の半径長より十分に長い長孔１３を前記取り付け孔１２の周囲に複数個穿設したのでファイル用金具を取り外すときに長孔１３によって外部から見える隙間１９が生じ鳩目２の捲くる部２３の下の隙間１９まで先の尖った工具（例えばドライバー）を前記した長孔１３が誘導してくれるので前記隙間１９内への挿入が容易で、挿入後ドライバーを抉ることで前記捲くれ部２３が壊れて綴り金具１をファイル３から容易に取り外すことができ構造も簡単で廉価にできると言う効果を有する。
【００１１】
請求項１記載の長孔が鳩目２の軸部２１を挿入する取り付け孔１２と一端が連接して開口し前記鋲や鳩目２のフランジ部２３の半径長より十分に長い長孔１３ａ〜１３ｃを前記長孔１３の延長中心線が前記取り付け孔１２の中心を通るように前記取り付け孔１２の周囲に十字状に複数個穿設した構成にしたので、ファイル用金具を取り外すときには長孔１３によって外部から見える隙間１９が生じ、鳩目２の捲くる部２３の下の隙間１９まで先の尖った工具（例えばドライバー）を前記した長穴１３が誘導してくれるので前記隙間１９内への挿入が容易で挿入後ドライバーを抉ることで前記捲くれ部２３が壊れて綴り金具１をファイル３から容易に取り外すことがで、構造も簡単で廉価にできると言う効果を有する。  
【考案を実施するための最良の形態】
【００１２】
この考案のファイル用綴り金具としての最良の形態は、綴り桿１４を取り付けた綴り桿取り付け板１５を着脱自在に保持する押さえ板１６ａと前記綴り桿１４を挿入するパイプ１７を取り付けた押さえ板１６ｂとをヒンジ手段１８ａ，１８ｂを介して取り付け板１１の両側縁に回動自在に取り付けた綴り金具１において、前記長方形の取り付け板１１に、鳩目２の軸部２１を挿入する取り付け孔１２とこの孔１２と一端が連接開口し前記鳩目２のフランジ半径長より十分に長い長孔１３を前記取り付け孔１２の周囲に複数個穿設するように構成することである。
【実施例】
【００１３】
以下、図面を参照してこの考案のファイル用綴り金具の実施の形態を詳細に説明する。
図１はこの考案のファイル用綴り金具１の斜面図であり、このファイル用綴り金具１は、長方形の例えば鉄板にカドミュームメッキを施したものまたはステンレスなどの金属板を用い、例えば２穴用として２本の綴り桿１４の一端を側面に溶接またはカシメることでこれらを水平に取り付けた綴り桿取り付け板１５を内側面に着脱自在に保持する機構を備えた押さえ板１６ａと、前記２本の綴り桿１４をそれぞれに挿入する２本のパイプ１７の一端を側面に同様に溶接またはカシメることでこれらを水平に取り付けた押さえ板１６ｂとを一般的なヒンジ手段１８ａ，１８ｂを介して取り付け板１１の両側縁に垂直状態からそれぞれ外方に９０°回動可能なように附勢用のスプリング等を介在して軸支した構成である。
【００１４】
実施例では、２穴用の綴り金具の例を示したが、４穴用やリング綴り金具等でも同様である。
また、２本のパイプ１６の一端を側面に同様に溶接またはカシメて水平に取り付けた押さえ板１５ｂのみをヒンジ手段１９で取り付け板１１の両側縁に垂直状態から外方に９０°回動可能なように附勢用のスプリング等を介在して軸支した構成の片開き型でも同様である。
【００１５】
この考案の前記長方形の取り付け板１１は図1および図２に示すように、その四隅近傍と中央部に鋲や鳩目２の軸部２１を挿入する少なくとも４個または図のように６個の取り付け孔１２を開け、図３および４に示すように、この孔１２と一端が連接して開口し前記鋲や鳩目２のフランジ部２３の半径長より十分に長い長孔１３ａ〜１３ｃを前記長孔１３の延長中心線が前記取り付け孔１２の中心を通るように前記取り付け孔１２の周囲にＹ字状または十字状に複数個設ける。
【００１６】
図５および６は前記した取り付け孔１２と長孔１３ａ〜１３ｃと鋲または鳩目２の関係を示すもので、全体を示してはいないが、ファイル（表紙）３の表紙部３２，３３間の背表紙部３１に前記取り付け孔１２に対向する取り付け孔３４を開け、背表紙３１の表側から鋲または鳩目２の軸部２１を挿入し、鋲または鳩目２の軸部２１のカシメ穴２２に図７に示すようにポンチ４を当てがつてから図示して無いダイとの間でこの筒状部分を外側に押し広げて捲れ部２４を形成する。
【００１７】
フランジ化した前記捲れ部２４と最初から軸部２１の一端に形成されていたフランジ２３との間に背表紙３１と取り付け板１１とを挟み込んで固定する。この捲くれ部２４の直径は取り付け孔１２の直径よりも大きく長孔１３の前記取り付け孔１２への開口部分上を覆う程度である。
したがって、図８に示すように前記捲れ部２４と長孔１３の重なり部分には前記取り付け板１１の板厚に等しい高さの隙間１９が生じる。
【００１８】
この綴り金具１をファイル３から取り外す場合には、図８に示すように、前記捲れ部２４と長孔１３の重なり部分には前記取り付け板１１の板厚に等しい高さの隙間１９が形成しているので図９に示すようにこの隙間１９内にドライバーのような先の尖った工具ＴＯを前記長孔１３で案内するようにして挿入し、前記捲れ部２４をこじ上げれば、前述したカシメによりひび等が生じている捲れ部２４が図１０に示すように壊れて取り付け状態が緩くなるので、さらに綴り金具１１とをファイル３の背表紙３１間にドライバー等の工具ＴＯを挿入してこじ上げることによって、綴り金具１をファイル３から容易に取り外すことができる。
【００１９】
また、ドライバーのような先の尖った工具ＴＯ以外に、長孔1３ａ〜１３ｃで生じた３個の隙間の内何れか任意の２個の隙間内にニッパの刃先を挿入することで鋲または鳩目を切断することで、綴り金具１をファイル３から容易に取り外すことができる。
【産業上の利用可能性】
【００２０】
この考案は、綴り金具はファイルと金具とを容易に分離し得るファイル用綴り金具として利用できる。
【図面の簡単な説明】
【００２１】
【図１】この考案のファイル用綴り金具の斜視図。
【図２】この考案の取り付け金具の斜視図。
【図３】この考案の取り付け孔を上方から見た拡大図。
【図４】図３のＡ−Ａ断線での断面図。
【図５】背表紙と取り付け金具の両取り付け孔に鳩目を挿着した状態の一部を断面で示す側面図。
【図６】背表紙と取り付け金具の両取り付け孔に鳩目を挿着した状態の下面図。
【図７】背表紙と取り付け金具の両取り付け孔に挿着した鳩目のカシメ止め過程の側面図。
【図８】背表紙と取り付け金具の両取り付け孔に挿着した鳩目のカシメ状態の側面図。
【図９】背表紙と取り付け金具の両取り付け孔に挿着した鳩目のカシメ状態の側面図。
【図１０】背表紙と取り付け金具の両取り付け孔に挿着カシメ止めした鳩目の破壊状態を示す斜視図。
【図１１】従来のファイル用金具の一部を示した拡大図である。
【符号の説明】
【００２２】
１      綴り金具
１１    取り付け板
１２    取り付け孔
１３    長孔
１４    綴り桿
１５    綴り桿取り付け板
１６ａ  押さえ板
１６ｂ  押さえ板
１７    パイプ
１８ａ  ヒンジ手段
１８ｂ  ヒンジ手段
１９    隙間
２      鳩目
２１    軸部
２２    カシメ穴
３      ファイル
３１    背表紙
３２    表紙
３３    表紙
３４    取り付け孔
４      ポンチ
【図１】
0003108868.tif 000003
【図２】
0003108868.tif 000004
【図３】
0003108868.tif 000005
【図４】
0003108868.tif 000006
【図５】
0003108868.tif 000007
【図６】
0003108868.tif 000008
【図７】
0003108868.tif 000009
【図８】
0003108868.tif 000010
【図９】
0003108868.tif 000011
【図１０】
0003108868.tif 000012
【図１１】
0003108868.tif 000013